(57)【要約】【課題】設置時間を短くし、脱型を容易にすること。【解決手段】スラブ型枠ユニット２は、支持枠８と、支持枠３の水平縦方向両端部の下面側に回動可能に配設されたそれぞれ一対の支柱１０及び１４をそれぞれ含む一対の支柱ユニット１２及び１６と、支柱１０及び１４の各々の下端部に配設された長さ調整手段１１及び１５と、支柱１０及び１４の各々と支持枠８とを連結するためのブレース２０及び２２とを備えた支持枠ユニット４と；支持枠８の上面側に取り付けられる型枠平板６と；を備えている。支柱ユニット１２及び１６は、折畳位置と支持位置との間を回動可能である。ブレース２０及び２２の各々は、各々の一端部が、相互に対向する支柱１０及び１２にそれぞれ回動可能に支持されかつ、支柱１０及び１２に沿って延在する折畳位置と、各々の他端部が、支持枠８の両側部の下面側にそれぞれ解除自在に連結される作用位置との間を回動可能である。【選択図】  図１
2006183313.tif 000002
【特許請求の範囲】
【請求項１】
平面矩形状をなしかつ、実質的に同一平面上に位置付けられた上面及び該上面に平行な、実質的に同一平面上に位置付けられた下面を有する支持枠と、支持枠の水平縦方向両端部の下面側においてそれぞれ該両端部に沿って相互に平行に水平横方向に延在する回動軸線まわりを回動可能に配設されかつ該水平横方向に間隔をおいて相互に平行に延在する一対の支柱をそれぞれ含む一対の支柱ユニットと、支柱の各々の下端部に配設されて支柱の各々の長さを実質的に調整しうる長さ調整手段と、支柱の各々と支持枠とを連結するためのブレースとを備えた支持枠ユニットと；支持枠の上面側に取り付けられるスラブ型枠と；を備え、
支柱ユニットの各々は、支持枠の下面に沿って延在する折畳位置と、支持枠の下面に対し垂直に下方に延びる支持位置との間を、対応する該軸線まわりを回動可能であり、ブレースの各々は、各々の一端部が、支持位置に位置付けられた支柱ユニットの各々間で対向する支柱の各々の長手方向中間における対向面側にそれぞれ回動可能に支持されかつ、支柱の各々の該中間から下方領域における対向面に沿って延在する折畳位置と、各々の他端部が、支持枠の該水平横方向両側部の下面側にそれぞれ分離自在に連結される作用位置との間を回動可能であり、ブレースの各々が作用位置に位置付けられると、支柱ユニットの各々は支持位置に位置付けられる、
ことを特徴とするスラブ型枠ユニット。
【請求項２】
支持枠の該下面から片方の支柱ユニットにおける該軸線までの下方への垂直距離は、他方の支柱ユニットにおける該軸線までの該垂直距離よりも短く規定され、ブレースの各々が折畳位置に位置付けられかつ、片方の支柱ユニットが折畳位置に位置付けられた状態で、他方の支柱ユニットが折畳位置に位置付けられると、他方の支柱ユニット及び他方の支柱ユニットにおけるブレースの各々は、片方の支柱ユニットの下側を、支持枠の該下面に沿って該水平縦方向に延在する、請求項１記載のスラブ型枠ユニット。
【請求項３】
支柱ユニットの各々は、支柱ユニットの各々における支柱の各々間を、支柱の各々の長手方向に間隔をおいて相互に平行にかつ支柱の各々に対して直角に延在しかつ、両端がそれぞれ対応する支柱に固着された複数の連結ロッド部材を備えている、請求項１又は請求項２記載のスラブ型枠ユニット。
【請求項４】
長さ調整手段の各々は、支柱の各々の下端部にねじ結合されたジャッキ部材を備えている、又は、支柱の各々の下端部に嵌合されて連結手段により複数の長手方向位置を選択して相互に分離自在に連結される補助支柱と、補助支柱の各々の下端部にねじ結合されたジャッキ部材とを備えている、請求項１〜３のいずれか１項に記載のスラブ型枠ユニット。
【請求項５】
支持枠は、該水平横方向に間隔をおいて該水平縦方向に平行に延在する一対の側フレームと、側フレームの各々の該水平縦方向における両端部間を該水平横方向に延在する一対の端フレームと、端フレームの各々間において、該水平縦方向に相互に間隔をおいて端フレームの各々に平行に側フレームの各々間を延在する複数の補助横フレームと、側フレームの各々間において、側フレームの各々に平行に実質的に端フレームの各々間を延在するよう、少なくとも１列に配設された複数の補助縦フレームとを備え、側フレーム、端フレーム、補助横フレーム及び補助縦フレームの各々は、角パイプから形成されかつ、各々の上面は、支持枠の該上面を規定し、側フレーム及び端フレームの各々の下面は、支持枠の該下面を規定する、請求項２〜４のいずれか１項に記載のスラブ型枠ユニット。
【請求項６】
側フレーム及び端フレームの各々には、支持枠の該上面が水平に位置付けられた状態で、側フレーム及び端フレームの各々に直交しかつ水平方向の軸線を有する連結穴がそれぞれ複数個形成されている、請求項５記載のスラブ型枠ユニット。
【請求項７】
支持枠の側フレーム及び端フレームの各々は、支持枠の矩形周縁フレームを規定し、片方の支柱ユニットにおける支柱の各々は、それぞれ、該周縁フレームの該水平縦方向一端部における２つの角部の下面にそれぞれ配設された片方の支柱支持フレームに回動可能に支持され、他方の支柱ユニットにおける支柱の各々は、それぞれ、該周縁フレームの該水平縦方向他端部における２つの角部の下面にそれぞれ配設された他方の支柱支持フレームに回動可能に支持され、片方の支柱ユニットにおけるブレースの各々の一端部は、片方の支柱ユニットにおける支柱の各々の長手方向中間における該対向側の面にそれぞれ配設された片方のブレース支持フレームに、それぞれ回動可能に支持されかつ他端部は、側フレームの各々の該水平縦方向の中央よりも該水平縦方向の一端寄りの位置における下面にそれぞれ配設された片方のブレース連結フレームに、それぞれ分離自在に連結可能であり、他方の支柱ユニットにおけるブレースの各々の一端部は、他方の支柱ユニットにおける支柱の各々の長手方向中間における該対向側の面にそれぞれ配設された他方のブレース支持フレームに、それぞれ回動可能に支持されかつ他端部は、側フレームの各々の該水平縦方向の中央よりも該水平縦方向の他端寄りの位置における下面にそれぞれ配設された他方のブレース連結フレームに、それぞれ分離自在に連結可能である、請求項５又は請求項６記載のスラブ型枠ユニット。
【請求項８】
片方及び他方の支柱ユニットにおけるブレースの各々の他端部と片方及び他方のブレース連結フレームの各々とがそれぞれ連結されて、ブレースの各々が作用位置に位置付けられると、片方及び他方の支柱ユニットはそれぞれ支持位置に位置付けられる、請求項７記載のスラブ型枠ユニット。
【請求項９】
他方のブレース連結フレームの各々は、下方に開放されたＵ形溝を備えており、片方及び他方の支柱ユニットにおけるブレースの各々の他端部と片方及び他方のブレース連結フレームの各々との連結がそれぞれ解除されて、該ブレースの各々が、それぞれ、支柱の各々の該中間に配設されたブレース支持フレームの各々から下方領域における該対向側の面に沿って延在して、該ブレースの各々の他端部が、それぞれ、支柱の各々の下端部に重合される折畳位置に位置付けられかつ、片方の支柱ユニットが折畳位置に位置付けられると、片方の支柱ユニットにおけるブレースの各々は、それぞれ、他方のブレース連結フレームの各々のＵ形溝内に分離自在に挿入され、片方のブレース支持フレームの各々は、それぞれ、側フレームの各々における下面直下に位置付けられ、片方の支柱ユニットにおける支柱の各々は、それぞれ、片方のブレース連結フレームの各々の直下を延在するよう位置付けられる、請求項７記載のスラブ型枠ユニット。
【請求項１０】
更に、他方の支柱ユニットが折畳位置に位置付けられると、他方の支柱ユニットにおけるブレースの各々及び他方のブレース支持フレームの各々は、それぞれ、片方の支柱ユニットにおける支柱の各々の直下に位置付けられる、請求項９記載のスラブ型枠ユニット。
【請求項１１】
支持枠を平面から見て、支持枠を除く支持枠ユニットの全ての構成部材は、支持枠の周面を越えて外側に突出しないよう配置される、請求項５〜１０のいずれか１項に記載のスラブ型枠ユニット。
【請求項１２】
スラブ型枠は、１個の矩形状の型枠平板から構成されると共に支持枠の該上面に載置されて支持枠に連結される、請求項１〜１１のいずれか１項に記載のスラブ型枠ユニット。
【請求項１３】
補助横フレーム及び補助縦フレームの各々における複数の箇所には、支持枠の該上面が水平に位置付けられた状態で、補助横フレーム及び補助縦フレームの各々に直交しかつ水平方向の軸線を有する取付穴が形成されると共に、補助横フレーム及び補助縦フレームの各々における、取付穴が形成された該複数の箇所には、それぞれ、補助横フレーム及び補助縦フレームの各々の上面と協働して上方に開放された、実質的にＵ形状をなすスラブ型枠取付溝が配設され、
スラブ型枠は、支持枠における一対の側フレーム、一対の端フレーム、補助横フレーム及び補助縦フレームの各々に対応して配列されかつ、実質的に同一平面上に位置付けられた上面と該上面に平行な、実質的に同一平面上に位置付けられた下面とを有する、一対の型枠側フレーム、一対の型枠端フレーム、型枠補助横フレーム及び型枠補助縦フレームを備えた型枠支持フレームと、該上面により規定される型枠支持フレームの上面に載置・連結される１個の型枠平板とを備え、支持枠の該上面が水平に位置付けられた状態で、型枠支持フレームを、支持枠の該上面に載置して、型枠支持フレームにおける型枠補助横フレーム及び型枠補助縦フレームの各々を、支持枠のスラブ型枠取付溝に分離自在に嵌合させることにより、スラブ型枠は、支持枠の該上面に分離自在にかつ該水平縦方向及び該水平横方向への移動が規制されて保持される、請求項５〜１１のいずれか１項に記載のスラブ型枠ユニット。
【請求項１４】
支持枠の該上面が水平に位置付けられた状態で、支持枠におけるスラブ型枠取付溝の各々は、対応する補助横フレーム及び補助縦フレームを水平方向に挟んで相互に水平方向に対向しかつ、対応する補助横フレーム及び補助縦フレームの該上面から鉛直上方に延び出す一対の取付板であって、それぞれ、鉛直方向に長い長方形の平板本体と、平板本体の上端から相互に離隔する方向に平板本体に対し直角に延びる上端フランジとからなる一対の取付板と、対応する補助横フレーム及び補助縦フレームの該上面とにより形成され、取付板の各対において、平板本体の各々には鉛直に延在する長穴が形成され、取付板の各対は、対応する補助横フレーム及び補助縦フレームの該上面から鉛直上方に延び出す高さが実質的に同じとなるよう、長穴の各々が、対応する補助横フレーム及び補助縦フレームに形成された取付穴に整合されてボルト＆ナットにより、対応する補助横フレーム及び補助縦フレームに分離自在に締結され、取付板の各対の該高さは、型枠支持フレームにおける一対の型枠側フレーム、一対の型枠端フレーム、型枠補助横フレーム及び型枠補助縦フレームの該下面により規定される型枠支持フレームの下面から型枠支持フレームの該上面までの高さと実質的に同じである、請求項１３記載のスラブ型枠ユニット。
【請求項１５】
平面矩形状をなしかつ、実質的に同一平面上に位置付けられた上面及び該上面に平行な、実質的に同一平面上に位置付けられた下面を有する支持枠であって、上面側にスラブ型枠が取り付けられる支持枠と、支持枠の水平縦方向両端部の下面側においてそれぞれ該両端部に沿って相互に平行に水平横方向に延在する回動軸線まわりを回動可能に配設されかつ該水平横方向に間隔をおいて相互に平行に延在する一対の支柱をそれぞれ含む一対の支柱ユニットと、支柱の各々の下端部に配設されて支柱の各々の長さを実質的に調整しうる長さ調整手段と、支柱の各々と支持枠とを連結するためのブレースとを備え、
支柱ユニットの各々は、支持枠の下面に沿って延在する折畳位置と、支持枠の下面に対し垂直に下方に延びる支持位置との間を、対応する該軸線まわりを回動可能であり、ブレースの各々は、各々の一端部が、支持位置に位置付けられた支柱ユニットの各々間で対向する支柱の各々の長手方向中間における対向面側にそれぞれ回動可能に支持されかつ、支柱の各々の該中間から下方領域における対向面に沿って延在する折畳位置と、各々の他端部が、支持枠の該水平横方向両側部の下面側にそれぞれ分離自在に連結される作用位置との間を回動可能であり、ブレースの各々が作用位置に位置付けられると、支柱ユニットの各々は支持位置に位置付けられる、
ことを特徴とする支持枠ユニット。
【請求項１６】
支持枠の該下面から片方の支柱ユニットにおける該軸線までの下方への垂直距離は、他方の支柱ユニットにおける該軸線までの該垂直距離よりも短く規定され、ブレースの各々が折畳位置に位置付けられかつ、片方の支柱ユニットが折畳位置に位置付けられた状態で、他方の支柱ユニットが折畳位置に位置付けられると、他方の支柱ユニット及び他方の支柱ユニットにおけるブレースの各々は、片方の支柱ユニットの下側を、支持枠の該下面に沿って該水平縦方向に延在する、請求項１５載の支持枠ユニット。
【請求項１７】
支柱ユニットの各々は、支柱ユニットの各々における支柱の各々間を、支柱の各々の長手方向に間隔をおいて相互に平行にかつ支柱の各々に対して直角に延在しかつ、両端がそれぞれ対応する支柱に固着された複数の連結ロッド部材を備えている、請求項１５又は請求項１６記載の支持枠ユニット。
【請求項１８】
長さ調整手段の各々は、支柱の各々の下端部にねじ結合されたジャッキ部材を備えている、又は、支柱の各々の下端部に嵌合されて連結手段により複数の長手方向位置を選択して相互に分離自在に連結される補助支柱と、補助支柱の各々の下端部にねじ結合されたジャッキ部材とを備えている、請求項１５〜１７のいずれか１項に記載の支持枠ユニット。
【請求項１９】
支持枠は、該水平横方向に間隔をおいて該水平縦方向に平行に延在する一対の側フレームと、側フレームの各々の該水平縦方向における両端部間を該水平横方向に延在する一対の端フレームと、端フレームの各々間において、該水平縦方向に相互に間隔をおいて端フレームの各々に平行に側フレームの各々間を延在する複数の補助横フレームと、側フレームの各々間において、側フレームの各々に平行に実質的に端フレームの各々間を延在するよう、少なくとも１列に配設された複数の補助縦フレームとを備え、側フレーム、端フレーム、補助横フレーム及び補助縦フレームの各々は、角パイプから形成されかつ、各々の上面は、支持枠の該上面を規定し、側フレーム及び端フレームの各々の下面は、支持枠の該下面を規定する、請求項１６〜１８のいずれか１項に記載の支持枠ユニット。
【請求項２０】
側フレーム及び端フレームの各々には、支持枠の該上面が水平に位置付けられた状態で、側フレーム及び端フレームの各々に直交しかつ水平方向の軸線を有する連結穴がそれぞれ複数個形成されている、請求項１９記載の支持枠ユニット。
【請求項２１】
支持枠の側フレーム及び端フレームの各々は、支持枠の矩形周縁フレームを規定し、片方の支柱ユニットにおける支柱の各々は、それぞれ、該周縁フレームの該水平縦方向一端部における２つの角部の下面にそれぞれ配設された片方の支柱支持フレームに回動可能に支持され、他方の支柱ユニットにおける支柱の各々は、それぞれ、該周縁フレームの該水平縦方向他端部における２つの角部の下面にそれぞれ配設された他方の支柱支持フレームに回動可能に支持され、片方の支柱ユニットにおけるブレースの各々の一端部は、片方の支柱ユニットにおける支柱の各々の長手方向中間における該対向側の面にそれぞれ配設された片方のブレース支持フレームに、それぞれ回動可能に支持されかつ他端部は、側フレームの各々の該水平縦方向の中央よりも該水平縦方向の一端寄りの位置における下面にそれぞれ配設された片方のブレース連結フレームに、それぞれ分離自在に連結可能であり、他方の支柱ユニットにおけるブレースの各々の一端部は、他方の支柱ユニットにおける支柱の各々の長手方向中間における該対向側の面にそれぞれ配設された他方のブレース支持フレームに、それぞれ回動可能に支持されかつ他端部は、側フレームの各々の該水平縦方向の中央よりも該水平縦方向の他端寄りの位置における下面にそれぞれ配設された他方のブレース連結フレームに、それぞれ分離自在に連結可能である、請求項１９又は請求項２０記載の支持枠ユニット。
【請求項２２】
片方及び他方の支柱ユニットにおけるブレースの各々の他端部と片方及び他方のブレース連結フレームの各々とがそれぞれ連結されて、ブレースの各々が作用位置に位置付けられると、片方及び他方の支柱ユニットはそれぞれ支持位置に位置付けられる、請求項２１記載の支持枠ユニット。
【請求項２３】
他方のブレース連結フレームの各々は、下方に開放されたＵ形溝を備えており、片方及び他方の支柱ユニットにおけるブレースの各々の他端部と片方及び他方のブレース連結フレームの各々との連結がそれぞれ解除されて、該ブレースの各々が、それぞれ、支柱の各々の該中間に配設されたブレース支持フレームの各々から下方領域における該対向側の面に沿って延在して、該ブレースの各々の他端部が、それぞれ、支柱の各々の下端部に重合される折畳位置に位置付けられかつ、片方の支柱ユニットが折畳位置に位置付けられると、片方の支柱ユニットにおけるブレースの各々は、それぞれ、他方のブレース連結フレームの各々のＵ形溝内に分離自在に挿入され、片方のブレース支持フレームの各々は、それぞれ、側フレームの各々における下面直下に位置付けられ、片方の支柱ユニットにおける支柱の各々は、それぞれ、片方のブレース連結フレームの各々の直下を延在するよう位置付けられる、請求項２１記載の支持枠ユニット。
【請求項２４】
更に、他方の支柱ユニットが折畳位置に位置付けられると、他方の支柱ユニットにおけるブレースの各々及び他方のブレース支持フレームの各々は、それぞれ、片方の支柱ユニットにおける支柱の各々の直下に位置付けられる、請求項２３記載の支持枠ユニット。
【請求項２５】
支持枠を平面から見て、支持枠を除く全ての構成部材は、支持枠の周面を越えて外側に突出しないよう配置される、請求項１９〜２４のいずれか１項に記載の支持枠ユニット。
【請求項２６】
補助横フレーム及び補助縦フレームの各々における複数の箇所には、支持枠の該上面が水平に位置付けられた状態で、補助横フレーム及び補助縦フレームの各々に直交しかつ水平方向の軸線を有する取付穴が形成されると共に、補助横フレーム及び補助縦フレームの各々における、取付穴が形成された該複数の箇所には、それぞれ、補助横フレーム及び補助縦フレームの各々の上面と協働して上方に開放された、実質的にＵ形状をなすスラブ型枠取付溝が配設され、
スラブ型枠は、支持枠における一対の側フレーム、一対の端フレーム、補助横フレーム及び補助縦フレームの各々に対応して配列されかつ、実質的に同一平面上に位置付けられた上面と該上面に平行な、実質的に同一平面上に位置付けられた下面とを有する、一対の型枠側フレーム、一対の型枠端フレーム、型枠補助横フレーム及び型枠補助縦フレームを備えた型枠支持フレームと、該上面により規定される型枠支持フレームの上面に載置・連結される１個の型枠平板とを備え、支持枠の該上面が水平に位置付けられた状態で、型枠支持フレームを、支持枠の該上面に載置して、型枠支持フレームにおける型枠補助横フレーム及び型枠補助縦フレームの各々を、支持枠のスラブ型枠取付溝に分離自在に嵌合させることにより、スラブ型枠は、支持枠の該上面に分離自在にかつ該水平縦方向及び該水平横方向への移動が規制されて保持される、請求項１９〜２５のいずれか１項に記載の支持枠ユニット。
【請求項２７】
支持枠の該上面が水平に位置付けられた状態で、支持枠におけるスラブ型枠取付溝の各々は、対応する補助横フレーム及び補助縦フレームを水平方向に挟んで相互に水平方向に対向しかつ、対応する補助横フレーム及び補助縦フレームの該上面から鉛直上方に延び出す一対の取付板であって、それぞれ、鉛直方向に長い長方形の平板本体と、平板本体の上端から相互に離隔する方向に平板本体に対し直角に延びる上端フランジとからなる一対の取付板と、対応する補助横フレーム及び補助縦フレームの該上面とにより形成され、取付板の各対において、平板本体の各々には鉛直に延在する長穴が形成され、取付板の各対は、対応する補助横フレーム及び補助縦フレームの該上面から鉛直上方に延び出す高さが実質的に同じとなるよう、長穴の各々が、対応する補助横フレーム及び補助縦フレームに形成された取付穴に整合されてボルト＆ナットにより、対応する補助横フレーム及び補助縦フレームに分離自在に締結され、取付板の各対の該高さは、型枠支持フレームにおける一対の型枠側フレーム、一対の型枠端フレーム、型枠補助横フレーム及び型枠補助縦フレームの該下面により規定される型枠支持フレームの下面から型枠支持フレームの該上面までの高さと実質的に同じである、請求項２６記載の支持枠ユニット。
【発明の詳細な説明】
【技術分野】
【０００１】
本発明は、立体駐車場、住宅、倉庫、オフィスなどの立体構築物における複数階のコンクリートスラブの各々を形成するために適用されるスラブ型枠ユニット及び支持枠ユニットに関する。
【背景技術】
【０００２】
一般に、例えばコンクリート製の立体構築物のスラブは、コンクリート製フロアに対し所定の上方位置にスラブ型枠が組み立てられた後、このスラブ型枠に従ってコンクリートが打ち込まれることにより形成される。このスラブ型枠の一典型例は、複数のパイプサポートを振れ止めパイプを介して所定の位置に配し、その上端に複数の大引きを架設し、この大引きの上に根太を大引きに直交して組み付け、この根太の上に合板を配置することにより組み立てられる。
【０００３】
上記従来のスラブ型枠は、多数かつ多種類の部材を要すると共に、組立工数がきわめて多くかつ組立作業が複雑で作業性が悪い上、更に分解工程をも必要とする。その結果、スラブ型枠の組立・分解に要する作業時間がきわめて長くなり、多くの人手を要し、施工期間も長くなる。また、スラブ型枠として必要な精度を得るためには、その組立作業に高い熟練度（スキル）が要求される。
【０００４】
上記したような技術的課題を解決するため、本発明者は、既に、移動式スラブ型枠ユニットを開発している（特許文献１参照）。このスラブ型枠ユニットは、載置面に沿って移動自在な基台と、スラブ型枠と、スラブ型枠を昇降自在に基台上に接続する昇降動装置と、昇降動装置を所定状態に安定させるための安定装置とを備えている。昇降動装置は、下端が基台に旋回自在に連結された第１のリンクと、下端が基台に沿って移動自在に連結された第２のリンクと、第１のリンクの中間部と第２のリンクの中間部とを相互に旋回自在に連結する連結ピンとを含んでいる。安定装置は長さ調整自在な支えロッドを含んでいる。支えロッドの一端は第２のリンクに旋回自在に連結され、支えロッドの他端は基台に設けられた係合部に分離自在に係合させることができる。そして、支えロッドの他端を基台の係合部に係合させることによって、スラブ型枠を降下させる方向に昇降動手装置の第２のリンクの下端が基台に沿って移動することが阻止される。
【０００５】
上記移動式スラブ型枠ユニットによれば、先に述べた従来のスラブ型枠に較べて施工効率が高く、必要な精度が容易に得られると共に施工費用を節減できる、との優れた効果が達成できる。しかしながらその反面、次のような問題を有している。
（１）全体として、部品点数が多く、構成が複雑でコストが高い。
（２）重量が重く、コンパクトな形状に折り畳むことができないので、建設現場における狭い空間での迅速かつ機動的な小運搬が容易であるとはいえない。また、比較的大きな保管スペース及び輸送スペースを要し、保管費用及び輸送費用が高い。
したがって、更なる改善が要望されているところであった。
【特許文献１】特開平０７−２４７６８２
【発明の開示】
【発明が解決しようとする課題】
【０００６】
本発明の目的は、設置時間が短くかつ脱型が容易であり、しかも、全体として、部品点数が少なく、構成が簡単で低コストで製造できる、新規なスラブ型枠ユニット及び支持枠ユニットを提供することである。
本発明の他の目的は、比較的軽量であり、コンパクトな形状に折り畳むことが可能であり、建設現場における狭い空間での機動的な小運搬が容易であると共に、保管及び輸送スペースが少なく、保管及び輸送費用が安い、新規なスラブ型枠ユニット及び支持枠ユニットを提供することである。
【課題を解決するための手段】
【０００７】
本発明の一局面によれば、
平面矩形状をなしかつ、実質的に同一平面上に位置付けられた上面及び該上面に平行な、実質的に同一平面上に位置付けられた下面を有する支持枠と、支持枠の水平縦方向両端部の下面側においてそれぞれ該両端部に沿って相互に平行に水平横方向に延在する回動軸線まわりを回動可能に配設されかつ該水平横方向に間隔をおいて相互に平行に延在する一対の支柱をそれぞれ含む一対の支柱ユニットと、支柱の各々の下端部に配設されて支柱の各々の長さを実質的に調整しうる長さ調整手段と、支柱の各々と支持枠とを連結するためのブレースとを備えた支持枠ユニットと；支持枠の上面側に取り付けられるスラブ型枠と；を備え、支柱ユニットの各々は、支持枠の下面に沿って延在する折畳位置と、支持枠の下面に対し垂直に下方に延びる支持位置との間を、対応する該軸線まわりを回動可能であり、ブレースの各々は、各々の一端部が、支持位置に位置付けられた支柱ユニットの各々間で対向する支柱の各々の長手方向中間における対向面側にそれぞれ回動可能に支持されかつ、支柱の各々の該中間から下方領域における対向面に沿って延在する折畳位置と、各々の他端部が、支持枠の該水平横方向両側部の下面側にそれぞれ分離自在に連結される作用位置との間を回動可能であり、ブレースの各々が作用位置に位置付けられると、支柱ユニットの各々は支持位置に位置付けられる、
ことを特徴とするスラブ型枠ユニット、が提供される。
支持枠の該下面から片方の支柱ユニットにおける該軸線までの下方への垂直距離は、他方の支柱ユニットにおける該軸線までの該垂直距離よりも短く規定され、ブレースの各々が折畳位置に位置付けられかつ、片方の支柱ユニットが折畳位置に位置付けられた状態で、他方の支柱ユニットが折畳位置に位置付けられると、他方の支柱ユニット及び他方の支柱ユニットにおけるブレースの各々は、片方の支柱ユニットの下側を、支持枠の該下面に沿って該水平縦方向に延在する、ことが好ましい。
支柱ユニットの各々は、支柱ユニットの各々における支柱の各々間を、支柱の各々の長手方向に間隔をおいて相互に平行にかつ支柱の各々に対して直角に延在しかつ、両端がそれぞれ対応する支柱に固着された複数の連結ロッド部材を備えている、ことが好ましい。
長さ調整手段の各々は、支柱の各々の下端部にねじ結合されたジャッキ部材を備えている、又は、支柱の各々の下端部に嵌合されて連結手段により複数の長手方向位置を選択して相互に分離自在に連結される補助支柱と、補助支柱の各々の下端部にねじ結合されたジャッキ部材とを備えている、ことが好ましい。
支持枠は、該水平横方向に間隔をおいて該水平縦方向に平行に延在する一対の側フレームと、側フレームの各々の該水平縦方向における両端部間を該水平横方向に延在する一対の端フレームと、端フレームの各々間において、該水平縦方向に相互に間隔をおいて端フレームの各々に平行に側フレームの各々間を延在する複数の補助横フレームと、側フレームの各々間において、側フレームの各々に平行に実質的に端フレームの各々間を延在するよう、少なくとも１列に配設された複数の補助縦フレームとを備え、側フレーム、端フレーム、補助横フレーム及び補助縦フレームの各々は、角パイプから形成されかつ、各々の上面は、支持枠の該上面を規定し、側フレーム及び端フレームの各々の下面は、支持枠の該下面を規定する、ことが好ましい。
側フレーム及び端フレームの各々には、支持枠の該上面が水平に位置付けられた状態で、側フレーム及び端フレームの各々に直交しかつ水平方向の軸線を有する連結穴がそれぞれ複数個形成されている、ことが好ましい。
支持枠の側フレーム及び端フレームの各々は、支持枠の矩形周縁フレームを規定し、片方の支柱ユニットにおける支柱の各々は、それぞれ、該周縁フレームの該水平縦方向一端部における２つの角部の下面にそれぞれ配設された片方の支柱支持フレームに回動可能に支持され、他方の支柱ユニットにおける支柱の各々は、それぞれ、該周縁フレームの該水平縦方向他端部における２つの角部の下面にそれぞれ配設された他方の支柱支持フレームに回動可能に支持され、片方の支柱ユニットにおけるブレースの各々の一端部は、片方の支柱ユニットにおける支柱の各々の長手方向中間における該対向側の面にそれぞれ配設された片方のブレース支持フレームに、それぞれ回動可能に支持されかつ他端部は、側フレームの各々の該水平縦方向の中央よりも該水平縦方向の一端寄りの位置における下面にそれぞれ配設された片方のブレース連結フレームに、それぞれ分離自在に連結可能であり、他方の支柱ユニットにおけるブレースの各々の一端部は、他方の支柱ユニットにおける支柱の各々の長手方向中間における該対向側の面にそれぞれ配設された他方のブレース支持フレームに、それぞれ回動可能に支持されかつ他端部は、側フレームの各々の該水平縦方向の中央よりも該水平縦方向の他端寄りの位置における下面にそれぞれ配設された他方のブレース連結フレームに、それぞれ分離自在に連結可能である、ことが好ましい。
片方及び他方の支柱ユニットにおけるブレースの各々の他端部と片方及び他方のブレース連結フレームの各々とがそれぞれ連結されて、ブレースの各々が作用位置に位置付けられると、片方及び他方の支柱ユニットはそれぞれ支持位置に位置付けられる、ことが好ましい。
他方のブレース連結フレームの各々は、下方に開放されたＵ形溝を備えており、片方及び他方の支柱ユニットにおけるブレースの各々の他端部と片方及び他方のブレース連結フレームの各々との連結がそれぞれ解除されて、該ブレースの各々が、それぞれ、支柱の各々の該中間に配設されたブレース支持フレームの各々から下方領域における該対向側の面に沿って延在して、該ブレースの各々の他端部が、それぞれ、支柱の各々の下端部に重合される折畳位置に位置付けられかつ、片方の支柱ユニットが折畳位置に位置付けられると、片方の支柱ユニットにおけるブレースの各々は、それぞれ、他方のブレース連結フレームの各々のＵ形溝内に分離自在に挿入され、片方のブレース支持フレームの各々は、それぞれ、側フレームの各々における下面直下に位置付けられ、片方の支柱ユニットにおける支柱の各々は、それぞれ、片方のブレース連結フレームの各々の直下を延在するよう位置付けられる、ことが好ましい。
更に、他方の支柱ユニットが折畳位置に位置付けられると、他方の支柱ユニットにおけるブレースの各々及び他方のブレース支持フレームの各々は、それぞれ、片方の支柱ユニットにおける支柱の各々の直下に位置付けられる、ことが好ましい。
支持枠を平面から見て、支持枠を除く支持枠ユニットの全ての構成部材は、支持枠の周面を越えて外側に突出しないよう配置される、ことが好ましい。
スラブ型枠は、１個の矩形状の型枠平板から構成されると共に支持枠の該上面に載置されて支持枠に連結される、ことが好ましい。
補助横フレーム及び補助縦フレームの各々における複数の箇所には、支持枠の該上面が水平に位置付けられた状態で、補助横フレーム及び補助縦フレームの各々に直交しかつ水平方向の軸線を有する取付穴が形成されると共に、補助横フレーム及び補助縦フレームの各々における、取付穴が形成された該複数の箇所には、それぞれ、補助横フレーム及び補助縦フレームの各々の上面と協働して上方に開放された、実質的にＵ形状をなすスラブ型枠取付溝が配設され、スラブ型枠は、支持枠における一対の側フレーム、一対の端フレーム、補助横フレーム及び補助縦フレームの各々に対応して配列されかつ、実質的に同一平面上に位置付けられた上面と該上面に平行な、実質的に同一平面上に位置付けられた下面とを有する、一対の型枠側フレーム、一対の型枠端フレーム、型枠補助横フレーム及び型枠補助縦フレームを備えた型枠支持フレームと、該上面により規定される型枠支持フレームの上面に載置・連結される１個の型枠平板とを備え、支持枠の該上面が水平に位置付けられた状態で、型枠支持フレームを、支持枠の該上面に載置して、型枠支持フレームにおける型枠補助横フレーム及び型枠補助縦フレームの各々を、支持枠のスラブ型枠取付溝に分離自在に嵌合させることにより、スラブ型枠は、支持枠の該上面に分離自在にかつ該水平縦方向及び該水平横方向への移動が規制されて保持される、ことが好ましい。
支持枠の該上面が水平に位置付けられた状態で、支持枠におけるスラブ型枠取付溝の各々は、対応する補助横フレーム及び補助縦フレームを水平方向に挟んで相互に水平方向に対向しかつ、対応する補助横フレーム及び補助縦フレームの該上面から鉛直上方に延び出す一対の取付板であって、それぞれ、鉛直方向に長い長方形の平板本体と、平板本体の上端から相互に離隔する方向に平板本体に対し直角に延びる上端フランジとからなる一対の取付板と、対応する補助横フレーム及び補助縦フレームの該上面とにより形成され、取付板の各対において、平板本体の各々には鉛直に延在する長穴が形成され、取付板の各対は、対応する補助横フレーム及び補助縦フレームの該上面から鉛直上方に延び出す高さが実質的に同じとなるよう、長穴の各々が、対応する補助横フレーム及び補助縦フレームに形成された取付穴に整合されてボルト＆ナットにより、対応する補助横フレーム及び補助縦フレームに分離自在に締結され、取付板の各対の該高さは、型枠支持フレームにおける一対の型枠側フレーム、一対の型枠端フレーム、型枠補助横フレーム及び型枠補助縦フレームの該下面により規定される型枠支持フレームの下面から型枠支持フレームの該上面までの高さと実質的に同じである、ことが好ましい。
本発明の他の局面によれば、
平面矩形状をなしかつ、実質的に同一平面上に位置付けられた上面及び該上面に平行な、実質的に同一平面上に位置付けられた下面を有する支持枠であって、上面側にスラブ型枠が取り付けられる支持枠と、支持枠の水平縦方向両端部の下面側においてそれぞれ該両端部に沿って相互に平行に水平横方向に延在する回動軸線まわりを回動可能に配設されかつ該水平横方向に間隔をおいて相互に平行に延在する一対の支柱をそれぞれ含む一対の支柱ユニットと、支柱の各々の下端部に配設されて支柱の各々の長さを実質的に調整しうる長さ調整手段と、支柱の各々と支持枠とを連結するためのブレースとを備え、支柱ユニットの各々は、支持枠の下面に沿って延在する折畳位置と、支持枠の下面に対し垂直に下方に延びる支持位置との間を、対応する該軸線まわりを回動可能であり、ブレースの各々は、各々の一端部が、支持位置に位置付けられた支柱ユニットの各々間で対向する支柱の各々の長手方向中間における対向面側にそれぞれ回動可能に支持されかつ、支柱の各々の該中間から下方領域における対向面に沿って延在する折畳位置と、各々の他端部が、支持枠の該水平横方向両側部の下面側にそれぞれ分離自在に連結される作用位置との間を回動可能であり、ブレースの各々が作用位置に位置付けられると、支柱ユニットの各々は支持位置に位置付けられる、
ことを特徴とする支持枠ユニット、が提供される。
支持枠の該下面から片方の支柱ユニットにおける該軸線までの下方への垂直距離は、他方の支柱ユニットにおける該軸線までの該垂直距離よりも短く規定され、ブレースの各々が折畳位置に位置付けられかつ、片方の支柱ユニットが折畳位置に位置付けられた状態で、他方の支柱ユニットが折畳位置に位置付けられると、他方の支柱ユニット及び他方の支柱ユニットにおけるブレースの各々は、片方の支柱ユニットの下側を、支持枠の該下面に沿って該水平縦方向に延在する、ことが好ましい。
支柱ユニットの各々は、支柱ユニットの各々における支柱の各々間を、支柱の各々の長手方向に間隔をおいて相互に平行にかつ支柱の各々に対して直角に延在しかつ、両端がそれぞれ対応する支柱に固着された複数の連結ロッド部材を備えている、ことが好ましい。
長さ調整手段の各々は、支柱の各々の下端部にねじ結合されたジャッキ部材を備えている、又は、支柱の各々の下端部に嵌合されて連結手段により複数の長手方向位置を選択して相互に分離自在に連結される補助支柱と、補助支柱の各々の下端部にねじ結合されたジャッキ部材とを備えている、ことが好ましい。
支持枠は、該水平横方向に間隔をおいて該水平縦方向に平行に延在する一対の側フレームと、側フレームの各々の該水平縦方向における両端部間を該水平横方向に延在する一対の端フレームと、端フレームの各々間において、該水平縦方向に相互に間隔をおいて端フレームの各々に平行に側フレームの各々間を延在する複数の補助横フレームと、側フレームの各々間において、側フレームの各々に平行に実質的に端フレームの各々間を延在するよう、少なくとも１列に配設された複数の補助縦フレームとを備え、側フレーム、端フレーム、補助横フレーム及び補助縦フレームの各々は、角パイプから形成されかつ、各々の上面は、支持枠の該上面を規定し、側フレーム及び端フレームの各々の下面は、支持枠の該下面を規定する、ことが好ましい。
側フレーム及び端フレームの各々には、支持枠の該上面が水平に位置付けられた状態で、側フレーム及び端フレームの各々に直交しかつ水平方向の軸線を有する連結穴がそれぞれ複数個形成されている、ことが好ましい。
支持枠の側フレーム及び端フレームの各々は、支持枠の矩形周縁フレームを規定し、片方の支柱ユニットにおける支柱の各々は、それぞれ、該周縁フレームの該水平縦方向一端部における２つの角部の下面にそれぞれ配設された片方の支柱支持フレームに回動可能に支持され、他方の支柱ユニットにおける支柱の各々は、それぞれ、該周縁フレームの該水平縦方向他端部における２つの角部の下面にそれぞれ配設された他方の支柱支持フレームに回動可能に支持され、片方の支柱ユニットにおけるブレースの各々の一端部は、片方の支柱ユニットにおける支柱の各々の長手方向中間における該対向側の面にそれぞれ配設された片方のブレース支持フレームに、それぞれ回動可能に支持されかつ他端部は、側フレームの各々の該水平縦方向の中央よりも該水平縦方向の一端寄りの位置における下面にそれぞれ配設された片方のブレース連結フレームに、それぞれ分離自在に連結可能であり、他方の支柱ユニットにおけるブレースの各々の一端部は、他方の支柱ユニットにおける支柱の各々の長手方向中間における該対向側の面にそれぞれ配設された他方のブレース支持フレームに、それぞれ回動可能に支持されかつ他端部は、側フレームの各々の該水平縦方向の中央よりも該水平縦方向の他端寄りの位置における下面にそれぞれ配設された他方のブレース連結フレームに、それぞれ分離自在に連結可能である、ことが好ましい。
片方及び他方の支柱ユニットにおけるブレースの各々の他端部と片方及び他方のブレース連結フレームの各々とがそれぞれ連結されて、ブレースの各々が作用位置に位置付けられると、片方及び他方の支柱ユニットはそれぞれ支持位置に位置付けられる、ことが好ましい。
他方のブレース連結フレームの各々は、下方に開放されたＵ形溝を備えており、片方及び他方の支柱ユニットにおけるブレースの各々の他端部と片方及び他方のブレース連結フレームの各々との連結がそれぞれ解除されて、該ブレースの各々が、それぞれ、支柱の各々の該中間に配設されたブレース支持フレームの各々から下方領域における該対向側の面に沿って延在して、該ブレースの各々の他端部が、それぞれ、支柱の各々の下端部に重合される折畳位置に位置付けられかつ、片方の支柱ユニットが折畳位置に位置付けられると、片方の支柱ユニットにおけるブレースの各々は、それぞれ、他方のブレース連結フレームの各々のＵ形溝内に分離自在に挿入され、片方のブレース支持フレームの各々は、それぞれ、側フレームの各々における下面直下に位置付けられ、片方の支柱ユニットにおける支柱の各々は、それぞれ、片方のブレース連結フレームの各々の直下を延在するよう位置付けられる、ことが好ましい。
更に、他方の支柱ユニットが折畳位置に位置付けられると、他方の支柱ユニットにおけるブレースの各々及び他方のブレース支持フレームの各々は、それぞれ、片方の支柱ユニットにおける支柱の各々の直下に位置付けられる、ことが好ましい。
支持枠を平面から見て、支持枠を除く全ての構成部材は、支持枠の周面を越えて外側に突出しないよう配置される、ことが好ましい。
補助横フレーム及び補助縦フレームの各々における複数の箇所には、支持枠の該上面が水平に位置付けられた状態で、補助横フレーム及び補助縦フレームの各々に直交しかつ水平方向の軸線を有する取付穴が形成されると共に、補助横フレーム及び補助縦フレームの各々における、取付穴が形成された該複数の箇所には、それぞれ、補助横フレーム及び補助縦フレームの各々の上面と協働して上方に開放された、実質的にＵ形状をなすスラブ型枠取付溝が配設され、スラブ型枠は、支持枠における一対の側フレーム、一対の端フレーム、補助横フレーム及び補助縦フレームの各々に対応して配列されかつ、実質的に同一平面上に位置付けられた上面と該上面に平行な、実質的に同一平面上に位置付けられた下面とを有する、一対の型枠側フレーム、一対の型枠端フレーム、型枠補助横フレーム及び型枠補助縦フレームを備えた型枠支持フレームと、該上面により規定される型枠支持フレームの上面に載置・連結される１個の型枠平板とを備え、支持枠の該上面が水平に位置付けられた状態で、型枠支持フレームを、支持枠の該上面に載置して、型枠支持フレームにおける型枠補助横フレーム及び型枠補助縦フレームの各々を、支持枠のスラブ型枠取付溝に分離自在に嵌合させることにより、スラブ型枠は、支持枠の該上面に分離自在にかつ該水平縦方向及び該水平横方向への移動が規制されて保持される、ことが好ましい。
支持枠の該上面が水平に位置付けられた状態で、支持枠におけるスラブ型枠取付溝の各々は、対応する補助横フレーム及び補助縦フレームを水平方向に挟んで相互に水平方向に対向しかつ、対応する補助横フレーム及び補助縦フレームの該上面から鉛直上方に延び出す一対の取付板であって、それぞれ、鉛直方向に長い長方形の平板本体と、平板本体の上端から相互に離隔する方向に平板本体に対し直角に延びる上端フランジとからなる一対の取付板と、対応する補助横フレーム及び補助縦フレームの該上面とにより形成され、取付板の各対において、平板本体の各々には鉛直に延在する長穴が形成され、取付板の各対は、対応する補助横フレーム及び補助縦フレームの該上面から鉛直上方に延び出す高さが実質的に同じとなるよう、長穴の各々が、対応する補助横フレーム及び補助縦フレームに形成された取付穴に整合されてボルト＆ナットにより、対応する補助横フレーム及び補助縦フレームに分離自在に締結され、取付板の各対の該高さは、型枠支持フレームにおける一対の型枠側フレーム、一対の型枠端フレーム、型枠補助横フレーム及び型枠補助縦フレームの該下面により規定される型枠支持フレームの下面から型枠支持フレームの該上面までの高さと実質的に同じである、ことが好ましい。
【発明を実施するための最良の形態】
【０００８】
以下、本発明に従って構成されたスラブ型枠ユニット及び支持枠ユニットの実施の形態を、添付図面を参照して詳細に説明する。なお、図１〜図３６において、相互に実質的に同一部分は同一符号で示してある。
【０００９】
図１〜図５を参照して、スラブ型枠ユニット２は、金属製の支持枠ユニット４と、スラブ型枠を構成する矩形状の型枠平板６とを備えている。支持枠ユニット４は、支持枠８と、一対の支柱１０を含む片方の支柱ユニット１２と、一対の支柱１４を含む他方の支柱ユニット１６と、支柱１０及び１４の各々に配設された長さ調整手段１１及び１５と、支柱１０及び１４の各々と支持枠８とをそれぞれ連結するためのブレース２０及び２２とを備えている。
【００１０】
支持枠８は、平面矩形状をなしかつ、実質的に同一平面上に位置付けられた上面と、該上面に平行な、実質的に同一平面上に位置付けられた下面を有している。なお、図１〜図５に示されているスラブ型枠ユニット２は、支持枠８の該上面及び下面と型枠平板６の上面が、実質的に水平となるよう長さ調整手段１１及び１５を介して載置面に載置されている。支持枠８について更に具体的に説明すると、支持枠８は、水平横方向（図２において紙面に垂直な方向、図３において左右方向）に間隔をおいて水平縦方向（図２において左右方向、図３において紙面に垂直な方向）に平行に延在する一対の側フレーム３０と、側フレーム３０の各々の該水平縦方向における両端部間を該水平横方向に延在する一対の端フレーム３２とを備えている。側フレーム３０及び端フレーム３２の各々は、横断面が相互に実質的に同じ長方形の角パイプから形成されている。
【００１１】
支持枠８は、更に、端フレーム３２の各々間において、該水平縦方向に相互に間隔をおいて端フレーム３２の各々に平行に側フレーム３０の各々間を延在する複数の、実施形態においては５個の補助横フレーム３４と、側フレーム３０の各々間において、側フレーム３０の各々に平行に実質的に端フレーム３２の各々間を延在するよう、少なくとも１列に（実施形態においては２列に）配設された複数の（実施形態においては、それぞれ６個の）補助縦フレーム３６とを備えている。補助横フレーム３４及び補助縦フレーム３６の各々は、横断面が相互に実質的に同じ長方形の角パイプから形成されている。
【００１２】
この実施形態において、補助横フレーム３４及び補助縦フレーム３６の各々の高さ及び水平方向幅は、それぞれ、側フレーム３０及び端フレーム３２の各々の高さ及び水平方向幅の１／２に規定されている。補助横フレーム３４及び補助縦フレーム３６の各々の上面は、側フレーム３０及び端フレーム３２の上面に対し、実質的に同一平面上に位置付けられるよう配設される。したがって、側フレーム３０、端フレーム３２、補助横フレーム３４及び補助縦フレーム３６の各々の上面は、支持枠８の該上面を規定し、側フレーム３０及び端フレーム３２の各々の下面は、支持枠８の該下面を規定する。側フレーム３０及び端フレーム３２の各々は、支持枠８の、矩形状の周縁フレーム３７を規定する。側フレーム３０及び端フレーム３２の各々には、側フレーム３０及び端フレーム３２の各々に直交しかつ水平方向の軸線を有する連結穴（貫通穴）３０ａ及び３２ａが、それぞれ複数個形成されている。実施形態において、連結穴３０ａ及び３２ａは、それぞれ、上下方向に間隔をおいて２個形成された対が、側フレーム３０及び端フレーム３２の各々における長手方向に間隔をおいて、それぞれ、複数対配設されている。平面形状が周縁フレーム３７の平面形状と実質的に同じである型枠平板６は、型枠用の、各種合板、金属板、プラスチック板などからなり、支持枠８の該上面に載置され、複数のビス６ａにより分離自在に締結される。支持枠８の側フレーム３０、端フレーム３２及び補助横フレーム３４の上面の適宜箇所には、該ビスがねじ結合される雌ねじ穴ｈが形成されている。
【００１３】
片方の支柱ユニット１２は、支持枠８の周縁フレーム３７における該水平縦方向一端部（図２において右端部）の下面側において、該一端部に沿って該水平横方向に延在する回動軸線Ｌ１（図７及び図８参照）まわりを回動可能に配設されかつ該水平横方向に間隔をおいて相互に平行に延在する上記一対の支柱１０と、支柱１０の各々間を、支柱１０の各々の長手方向に間隔をおいて相互に平行にかつ支柱１０の各々に対して直角に延在しかつ、両端がそれぞれ対応する支柱１０に溶接により固着された複数の（実施形態においては４個の）連結ロッド部材３８を備えている。相互に同じ長さを有する支柱１０の各々は、横断面が相互に実質的に同じ長方形の角パイプから形成されている。連結ロッド部材３８の各々は、横断面が相互に実質的に同じ円形をなす丸パイプから形成されている。
【００１４】
他方の支柱ユニット１６は、支持枠８の周縁フレーム３７における該水平縦方向他端部（図２において左端部）の下面側において、該他端部に沿って該水平横方向に延在する回動軸線Ｌ２（図１０参照）まわりを回動可能に配設されかつ該水平横方向に間隔をおいて相互に平行に延在する上記一対の支柱１４と、支柱１４の各々間を、支柱１４の各々の長手方向に間隔をおいて相互に平行にかつ支柱１４の各々に対して直角に延在しかつ、両端がそれぞれ対応する支柱１４に固着された複数の（実施形態においては４個の）連結ロッド部材３８を備えている。相互に同じ長さを有する支柱１４の各々は、横断面が相互に支柱１０におけると実質的に同じ長方形の角パイプから形成されている。連結ロッド部材３８の各々は、横断面が相互に実質的に同じ円形をなす丸パイプから形成されている。
【００１５】
周縁フレーム３７の該水平縦方向一端部（図２において右端部）における２つの角部の下面には、それぞれ支柱支持フレーム４０が配設されている。支柱支持フレーム４０の各々は、相互に実質的に同じ構成を有しているので、以下、図２において、周縁フレーム３７における右端部の手前側角部の下面に配設された支柱支持フレーム４０について説明する。図６〜図８を参照して、支柱支持フレーム４０は、長方形の基板４１と、基板４１の片面（図６において左側の面）における水平幅方向（図７において左右方向）中央部において、該片面から直立しかつ相互に該幅方向に隙間をおいて長手方向（図７において上下方向）に平行に延びるよう固着された一対の支持板４２とを備えている。支持板４２の各々における一端（図６において上端）の、基板４１の該片面からの長さは、他端（図６において下端）の、該長さよりも長い。支持板４２の各々の一端と他端の各々の先端間は傾斜面をなしている。支持板４２の各々の一端には、相互に離隔する該水平横方向に直角に延びるフランジ４２Ｆが一体に形成されている。フランジ４２Ｆの各々の外面（図７において上端面）は、基板４１の一端面（図７において上端面）と実質的に同一平面上に位置付けられている。支持板４２の各々には、共通の軸線を有する支持穴４２ａが形成されている。
【００１６】
上記のように構成された支柱支持フレーム４０は、支持板４２の各々におけるフランジ４２Ｆの外面が、周縁フレーム３７における、図２における右端部の手前側角部の下面に当接されて溶接により固着される。支柱支持フレーム４０の基板４１の他面（図６において右側の面）は、周縁フレーム３７の、図６及び図８における右端面と同一面上に位置付けられている。支持板４２の各々の隙間は、図６において左方及び下方に開放されている。
【００１７】
支柱１０の上端には、矩形の板４４が溶接により固着されている。板４４の上面における、該水平横方向中央には、一定の該水平縦方向幅を有する被支持板４５が、該上面から直立するよう溶接により固着されている。被支持板４５の上端は該水平横方向から見て円弧形状をなし、被支持板４５の上端部には被支持穴４５ａが形成されている。支柱１０は、被支持板４５の上端部が支柱支持フレーム４０における支持板４２の各々の隙間に挿入されて、被支持穴４５ａが支持板４２の各々の支持穴４２ａに整合させられ、支持ピン４６が挿入されることにより、支柱支持フレーム４０に回動可能に支持される。支持ピン４６には抜止リング４７が分離自在に装着されている。
【００１８】
他方の支柱支持フレーム４０も、図２において、周縁フレーム３７における右端部の後側角部の下面に、上記支柱支持フレーム４０におけると実質的に同様にして配設される。他方の支柱１０の上端部も、上記支柱１０におけると実質的に同様にして他方の支柱支持フレーム４０に回動可能に支持される。支柱１０の各々の回動軸線（支持ピン４６の各々の軸線）は、実質的に上記回動軸線Ｌ１上に位置付けられる。
【００１９】
周縁フレーム３７の該水平縦方向他端部（図２において左端部）における２つの角部の下面には、それぞれ支柱支持フレーム５０が配設されている。支柱支持フレーム５０の各々は、相互に実質的に同じ構成を有すると共に、先に説明した支柱支持フレーム４０と比較して、一部を除き実質的に同じ構成を有している。支柱支持フレーム５０の各々はまた、先に説明した支柱支持フレーム４０の各々におけると実質的に同様にして該下面に配設されている。図９及び図１０には、図２において、周縁フレーム３７における左端部の手前側角部の下面に配設された支柱支持フレーム５０が図示されているが、支柱支持フレーム４０と実質的に同一部分については、支柱支持フレーム４０に対応して、５０番代の数字で示し、説明は省略する。また、図９及び図１０において、支柱１４の上端部の構成及び被支持構成も、先に述べた支柱１０の上端部の構成及び被支持構成と実質的に同じであるので、実質的に同一部分は同一符号で示し、説明は省略する。
【００２０】
周縁フレーム３７における上記左端部の手前側角部の下面に配設された支柱支持フレーム５０は、先に説明した支柱支持フレーム５０よりも上下方向長さが長く形成されている。その他の構成は、先に述べた支柱１０と実質的に同じである。他方の支柱支持フレーム５０も、図２において、周縁フレーム３７における左端部の後側角部の下面に、上記支柱支持フレーム５０におけると実質的に同様にして配設される。支柱１６の各々の回動軸線（支持ピン４６の各々の軸線）は、実質的に上記回動軸線Ｌ２上に位置付けられる。上記説明から明らかなように、周縁フレーム３７の下面、したがって支持枠８の該下面から支柱１４の各々の回動軸線Ｌ２までの下方への垂直距離は、該下面から上記支柱１０の各々の回動軸線Ｌ１までの下方への垂直距離よりも長い（換言すれば、支持枠８の該下面から片方の支柱ユニット１２における回動軸線Ｌ１までの下方への垂直距離は、他方の支柱ユニット１６における回動軸線Ｌ２の該垂直距離よりも短い）。
【００２１】
図１〜図３を参照して、支柱１０の長さを調整しうる長さ調整手段１１は、支柱１０の下端部にねじ結合されたジャッキ部材１１Ａを備えている。更に具体的に説明すると、長さ調整手段１１は、支柱１０の下端部内に挿入されて溶接により固着された図示しない金属製雌ねじ部材と、該雌ねじ部材にねじ結合されたジャッキ部材１１Aとを備えている。ジャッキ部材１１Aは、円形の金属製基板１１ａと、基板１１ａの中央から直立する金属製ロッド部材１１ｂとからなる。ロッド部材１１ｂは円形外周面を有し、該外周面には雄ねじが形成されている。ロッド部材１１ｂの下端は基板１１ａに溶接により固着されている。ジャッキ部材１１Aは、ロッド部材１１ｂが、片方の支柱１０の該雌ねじ部材にねじ結合されることにより、支柱１０に分離自在に連結される。ジャッキ部材１１Aを回転させることにより、支柱１０の下端からの突出長さを調整することができる。その結果、支柱１０の長さが実質的に調整される。ロッド部材１１ｂの下端部にナット部材をねじ結合させて固着する、ロッド部材１１ｂの下端部に横穴を形成して回転操作ロッドを挿入できるよう構成する、などの手段により、ジャッキ部材１１Aの回転操作を容易にすることができる。
【００２２】
支柱１０の各々の長さ調整手段１１は、相互に実質的に同じ構成を有している。また、支柱１４の各々の長さ調整手段１５は、上記長さ調整手段１１と実質的に同じ構成を有しているので、長さ調整手段１１に対応する部分には対応する符号を付し（例えば、ジャッキ部材１１Aに対応する部分には符号１５Aを付し）、説明は省略する。
【００２３】
先の説明から明らかなように、片方の支柱ユニット１２における支柱１０の各々は、それぞれ、周縁フレーム３７の該水平縦方向一端部における２つの角部の下面にそれぞれ配設された片方の支柱支持フレーム４０に回動可能に支持される。また、他方の支柱ユニット１６における支柱１４の各々は、それぞれ、周縁フレーム３７の該水平縦方向他端部における２つの角部の下面にそれぞれ配設された他方の支柱支持フレーム５０に回動可能に支持される。そして、支柱ユニット１２及び１６の各々は、支持枠８の該下面に沿って延在する折畳位置（図１６及び図１７に示される位置）と、支持枠８の該下面に対し垂直に下方に延びる支持位置（図１及び図２に示され位置）との間を、それぞれ、回動軸線Ｌ１及びＬ２まわりを回動可能である。支柱ユニット１２及び１６の各々が支持位置に位置付けられると、支柱ユニット１２及び１６の各々における支柱１０の各々と支柱１４の各々における該水平縦方向の内側面は、それぞれ相互に対向する。支柱１０の各々と支柱１４の各々における該内側面は、それぞれ、対向側の面を規定する。
【００２４】
図１及び図２に図示されているように、片方の支柱ユニット１２におけるブレース２０の各々の一端部（図１及び図２において下端部）は、片方の支柱ユニット１２における支柱１０の各々の長手方向中間における該対向側の面にそれぞれ配設された片方のブレース支持フレーム６０に、それぞれ回動可能に支持される。また、他端部（図１及び図２において上端部）は、側フレーム３０の各々の該水平縦方向の中央よりも該水平縦方向の一端寄りの位置における下面にそれぞれ配設された片方のブレース連結フレーム６２に、それぞれ連結手段により分離自在に連結可能である。
【００２５】
他方の支柱ユニット１６におけるブレース２２の各々の一端部（図１及び図２において下端部）は、他方の支柱ユニット１６における支柱１４の各々の長手方向中間における該対向側の面にそれぞれ配設された他方のブレース支持フレーム６０に、それぞれ回動可能に支持される。また、他端部（図１及び図２において上端部）は、側フレーム３０の各々の該水平縦方向の中央よりも該水平縦方向の他端寄りの位置における下面にそれぞれ配設された他方のブレース連結フレーム６２に、それぞれ連結手段により分離自在に連結可能である。
【００２６】
片方及び他方の支柱ユニット１２及び１６におけるブレース２０及び２２の各々は、各々の他端部（図１及び図２において上端部）と、片方及び他方のブレース連結フレーム６２の各々との連結が解除された状態において、それぞれ、支柱１０及び１４の各々の該中間に配設されたブレース支持フレーム６０の各々から下方領域における対向側の面に沿って延在して、各々の他端部が、それぞれ、支柱１０及び１４の各々の下端部に重合される折畳位置（図１６及び図１７に示される位置）と、ブレース２０及び２２の各々の他端部が、それぞれ、支持枠８の側フレーム３０の各々の下面に配設されたブレース連結フレーム６２の各々に分離自在に連結される作用位置（図１及び図２に示される位置）との間を回動可能である。
【００２７】
ブレース２０及び２２の各々、ブレース支持フレーム６０の各々、及びブレース連結フレーム６２の各々は、それぞれ、相互に実質的に同じ構成を有しているので、以下、それらを代表して、図２において、左側に配置されたブレース２２、ブレース支持フレーム６０及びブレース連結フレーム６２の構成について説明する。
【００２８】
図１１〜図１３を参照して、金属板からなるブレース支持フレーム６０は、矩形状の平板本体６０ａと、平板本体６０ａの両側から片面方向に直角に延び出して相互に対向する一対の側壁６０ｂとからなり、全体としてほぼU形状をなしている。相互に実質的に同じ形状を有する側壁６０ｂの各々の頂部は円弧状に形成され、側壁６０ｂの各々における円弧の中心部には、それぞれ取付穴６０ｃが形成されている。取付穴６０ｃの各々は共通の軸線上に位置付けられている。上記のように構成されたブレース支持フレーム６０は、平板本体６０ａの外面が、支柱１４の長手方向中間における該対向側の面に当接されて溶接により固着される。したがって、ブレース支持フレーム６０は、該対向側に開放されたＵ形溝を備えている。ブレース支持フレーム６０の幅は、支柱１４における該対向側の面の幅よりも狭く形成され、ブレース支持フレーム６０は、図１２に示されているように、支柱１４における該対向側の面の幅方向中央に配置されている。
【００２９】
金属板からなるブレース連結フレーム６２は、矩形状の平板本体６２ａと、平板本体６２ａの両側から片面方向に直角に延び出して相互に対向する一対の側壁６２ｂとからなり、全体としてほぼU形状をなしている。相互に実質的に同じ形状を有する側壁６２ｂの各々の頂部は円弧状に形成され、側壁６２ｂの各々における円弧の中心部には、それぞれ取付穴６２ｃが形成されている。取付穴６２ｃの各々は共通の軸線上に位置付けられている。上記のように構成されたブレース連結フレーム６２は、平板本体６２ａの外面が、側フレーム３０の該水平縦方向の中央よりも該水平縦方向の他端寄りの位置（図２において左端寄りの位置）における下面に当接されて溶接により固着されている。したがって、ブレース連結フレーム６２は、下方に開放されたＵ形溝を備えている。ブレース連結フレーム６２の幅は、側フレーム３０の下面における幅よりも狭く形成され、ブレース連結フレーム６２は、図１３に示されているように、側フレーム３０の下面における幅方向内側（支持枠８の周縁に対する内側）に片寄った位置に配置されている。
【００３０】
ブレース２２は、横断面が正方形をなす角パイプから形成されている。ブレース２２の一端（図１１において下端）及び他端（図１１において上端）は、図１１に示されているように、正面から見て半円形状に形成されている。ブレース２２の一端部及び他端部における半円形状の中央には、それぞれ、取付穴２２ａが形成されている。上記のように構成されたブレース２２の一端部は、ブレース支持フレーム６０における平板本体６０ａと側壁６０ｂの各々により形成される該Ｕ形溝内に挿入されて取付穴２２ａが取付穴６０ｃの各々に整合される。相互に整合された取付穴２２ａ及び取付穴６０ｃの各々に支持ピン６４が挿入され、抜け止めリング６６が支持ピン６４に形成された環状溝６４ａに嵌合保持される。その結果、ブレース２２の一端部は、ブレース支持フレーム６０に回動可能に支持される。
【００３１】
ブレース２２の他端部は、ブレース連結フレーム６２における平板本体６２ａと側壁６２ｂの各々により形成される該Ｕ形溝内に挿入されて取付穴２２ａが取付穴６２ｃの各々に整合される。相互に整合された取付穴２２ａ及び取付穴６２ｃの各々に連結ピン６７が挿入され、抜け止めピン６８が連結ピン６７に形成された貫通穴６７ａに分離自在に挿入保持される。その結果、ブレース２２の他端部は、ブレース連結フレーム６２にほぼワンタッチで分離自在に連結される。連結ピン６７及び抜け止めピン６８は連結手段を構成する。ブレース２２の他端部の、ブレース連結フレーム６２に対する連結解除は、連結ピン６７の貫通穴６７ａに挿入された抜け止めピン６８を抜き取って、連結ピン６７を取付穴２２ａ及び取付穴６２ｃの各々から抜き出すことにより容易に遂行される。
【００３２】
図１、図２及び図１４に示されているように、支柱ユニット１２及び１６におけるブレース２０及び２２の各々の他端部と、ブレース連結フレーム６２の各々とがそれぞれ連結されてブレース２０及び２２の各々が作用位置に位置付けられると、支柱ユニット１２及び１６はそれぞれ支持位置に位置付けられる。スラブ型枠ユニット２は、ジャッキ部材１１ａ及び１５ａの各々の基板１１ａ及び１５ａを介して載置面に載置される。支柱１０及び１４の各々の下端部にそれぞれねじ結合されたジャッキ部材１１ａ及び１５ａを回転させることにより、載置面から型枠平板６の上面までの高さが所定の高さに調整されると共に、該上面が水平に調整される。スラブ型枠ユニット２を正面から見て、支柱１０の各々及び支柱１４の各々と支持枠８間を斜めに連結するブレース２０及び２２の各々は、支持枠８をしっかりと支持し、支持枠ユニット４及びスラブ型枠ユニット２の強度を確保し、安定した荷重の支持に寄与する。
【００３３】
支柱ユニット１２及び１６の各々が支持位置に位置付けられたとき、支持枠８の該下面から支柱ユニット１２及び１６の各々における支柱１０及び１４の各々の下端までの下方への垂直距離は、相互に実質的に等しく規定されている。この構成に起因して、ジャッキ部材１１ａ及び１５ａの、支柱１０及び１４の各々の下端からの突出長さを、スラブ型枠ユニット２を載置する前に予め同一に調整しておけば、スラブ型枠ユニット２を載置した後の上記調整は微調整でよいので、該調整作業が容易となる。また、支柱ユニット１２及び１６の各々が支持位置に位置付けられたとき、支柱１０及び１４の各々の上端部に配設された被支持板４５の各々の、該水平縦方向における外側面が、それぞれ、支柱支持フレーム４０及び５０における基板４１及び５１（図６及び図９参照）の、該水平縦方向における内側面に当接ないしほぼ当接して位置付けられる。この構成に起因して、支柱ユニット１２及び１６におけるブレース２０及び２２の各々の他端部と、ブレース連結フレーム６２の各々との連結が解除されたとき、支柱ユニット１２及び１６が、それぞれ、該水平縦方向における外方へ回動することが阻止され、スラブ型枠ユニット２の安定した載置状態が確保される。
【００３４】
支柱ユニット１２及び１６の各々が支持位置に位置付けられて載置面に載置されたスラブ型枠ユニット２において、スラブ型枠ユニット２を平面から見て、したがって、支持枠８を平面から見て、支持枠８を除く支持枠ユニット４の全ての構成部材は、支持枠８の矩形周面を越えて外側に突出しないよう配置されている。したがって、このスラブ型枠ユニット２を複数個、相互に該水平縦方向及び該水平横方向に相互に並列して載置面に載置し、相互に分離自在に連結することにより、スラブ型枠面を容易に形成することが可能になる。
【００３５】
更に具体的に説明すると、図２８及び図２９には、４個のスラブ型枠ユニット２Ａ、２Ｂ、２Ｃ及び２Ｄを並列することにより、スラブ型枠面が形成された実施形態が示されている。図示の実施形態において、スラブ型枠ユニット２Ａと２Ｂ、及びスラブ型枠ユニット２Ｃと２Ｄは、それぞれ、各々の支持枠８における片方の端フレーム３２の該水平縦方向外面同士が相互に隣接するよう並列され、相互に整合された連結穴３２ａ（図１参照）を利用して、ボルト＆ナット７０により分離自在に締結されている。また、スラブ型枠ユニット２Ａと２Ｃ、及びスラブ型枠ユニット２Ｂと２Ｄは、それぞれ、各々の支持枠８における片方の側フレーム３０の該水平横方向外面同士が相互に隣接するよう並列され、相互に整合された連結穴３０ａ（図１参照）を利用して、ボルト＆ナット７０により分離自在に締結されている。その結果、スラブ型枠ユニット２Ａ〜２Ｄの型枠平板６の各々の上面により、水平な矩形状のスラブ型枠面が形成される。このようにして、スラブ型枠ユニット２を、該水平縦方向及び該水平横方向に並列して相互に分離自在に連結することにより、スラブ型枠面を容易に拡大することができる。
【００３６】
スラブ型枠ユニット２の各々において、支柱ユニット１２及び１６における連結ロッド部材３８の各々は、支柱ユニット１２及び１６の強度を向上させることに加えて、これらをはしごとして利用できるので、施工現場における作業性の向上にも寄与する。また、図１８に示すように、スラブ型枠ユニット２のジャッキ部材１１Ａ及び１５Ａの各々の基板１１ａ及び１５ａの下面側に、キャスタ７２をそれぞれ分離自在に装着することにより、スラブ型枠ユニット２を移動可能な棚あるいは移動可能な作業台として利用することができる。
【００３７】
以上のようにして形成されたスラブ型枠面上に、周知のとおりにしてコンクリートが打設されることにより、スラブ型枠面上にコンクリートスラブが形成される。所定の養生期間が経過した後、スラブ型枠ユニット２の各々の脱型を行う。この脱型は、スラブ型枠ユニット２の各々におけるジャッキ部材１１Ａ及び１５Ａを回転させる操作により、支柱１０及び１４の各々の長さを実質的に短縮して、載置面からスラブ型枠ユニット２の各々における型枠平板６の上面までの高さを低くすることにより、容易かつ確実に行うことができる。
【００３８】
上記説明から明らかなように、本発明に係るスラブ型枠ユニット２及び支持枠ユニット４は、設置時間が短くかつ脱型が容易であり、しかも、全体として、部品点数が少なく、構成が簡単で低コストで製造することを可能にする。
【００３９】
ブレース２０及び２２の各々が折畳位置に位置付けられかつ、片方の支柱ユニット１２が折畳位置に位置付けられた状態で、他方の支柱ユニット１６が折畳位置に位置付けられると、他方の支柱ユニット１２及び他方の支柱ユニット１６におけるブレース２２の各々は、片方の支柱ユニット１２の下側を、支持枠８の該下面に沿って該水平縦方向に延在する。
【００４０】
図１５〜図１７を参照して、スラブ型枠ユニット２及び支持枠ユニット４の折り畳みについて、更に具体的に説明する。先ず、支柱ユニット１２及び１６におけるブレース２０及び２２の各々の他端部とブレース連結フレーム６２の各々との連結をそれぞれ解除して、ブレース２０及び２２の各々を、それぞれ、支柱１０及び１４の各々の該中間に配設されたブレース支持フレーム６０の各々まわりに回動させて、支柱１０及び１４の各々の下方領域における該対向側の面に沿って延在して、ブレース２０及び２２の各々の他端部が、それぞれ、支柱１０及び１４の各々の下端部に重合される折畳位置に位置付ける。ブレース２０及び２２の各々は、ブレース２０及び２２の各々が折畳位置に位置付けられたとき、ブレース２０及び２２の各々の先端が、それぞれ、支柱１０及び１４の各々の下端を越えない長さを有している。この構成は、支柱ユニット１２及び１６の折畳時におけるコンパクト化に寄与する。
【００４１】
続いて、片方の支柱ユニット１２を上記回動軸線Ｌ１まわりに回動させて折畳位置に位置付ける（図１６及び図１７参照）。その結果、片方の支柱ユニット１２におけるブレース２０の各々は、それぞれ、他方のブレース連結フレーム６２（図１６及び図１７において左方に位置するブレース連結フレーム６２）の各々のＵ形溝内に分離自在に挿入される。また、片方の支柱ユニット１２における片方のブレース支持フレーム６０の各々は、それぞれ、支持枠８の側フレーム３０の各々における下面直下に、ほとんど隙間無く位置付けられ、片方の支柱ユニット１２における支柱１０の各々は、それぞれ、片方のブレース連結フレーム６２（図１６及び図１７において右方に位置するブレース連結フレーム６２）の各々の直下を、ほとんど隙間無く延在するよう位置付けられる。
【００４２】
更に、他方の支柱ユニット１６を上記回動軸線Ｌ２まわりに回動させて折畳位置に位置付ける（図１６及び図１７参照）。他方の支柱ユニット１６が折畳位置に位置付けられると、他方の支柱ユニット１６におけるブレース２２の各々及び他方のブレース支持フレーム６０の各々は、それぞれ、片方の支柱ユニット１２における支柱１０の各々の直下に、ほとんど隙間無く位置付けられる。支柱ユニット１２及び１６の各々は、支持枠８の下面の直下において、順次に、それぞれ、ほとんど隙間無く位置付けられるので、スラブ型枠ユニット２は、ほぼ最小限の厚さに折り畳まれる。
【００４３】
上記説明から明らかなように、本発明に係るスラブ型枠ユニット２及び支持枠ユニット４は、比較的軽量であり、コンパクトな形状に折り畳むことが可能であり、建設現場における狭い空間での機動的な小運搬が容易であると共に、保管及び輸送スペースを少なくし、保管及び輸送費用が安くする。
【００４４】
図１５〜図１７において、支柱１０及び１４の各々の下端部にそれぞれねじ結合されたジャッキ部材１１ａ及び１５ａの図示は省略されているが、上記した支柱ユニット１２及び１６の各々の折畳動作は、ジャッキ部材１１ａ及び１５が支柱１０及び１４の下端部に装着された状態で行われる。支柱ユニット１２及び１６の各々を折り畳むに際しては、ジャッキ部材１１ａ及び１５の各々を、支柱１０及び１４の各々の下端に対し、ほぼ最大限ねじ込んで、支柱１０及び１４の各々の下端からの突出量をほぼ最少にしておけばよい。その結果、支柱１０及び１４の各々の全長が実質的にほぼ最少となるので、支柱ユニット１２及び１６の各々を折り畳んだときに、ジャッキ部材１１ａ及び１５の各々の基板１１ａ及び１５ａの各々が、支柱支持フレーム４０及び５０の各々に、それぞれ干渉することが防止される。
【００４５】
次に本発明によるスラブ型枠ユニットの他の実施形態について説明する。図１９〜図２２を参照して、スラブ型枠ユニット８０は、支持枠ユニット８２と、スラブ型枠８４とを備えている。
【００４６】
支持枠ユニット８２において、支持枠８における補助横フレーム３４及び補助縦フレーム３６の各々における複数の箇所には、支持枠８の該上面が水平に位置付けられた状態で、補助横フレーム３４及び補助縦フレーム３６の各々に直交しかつ水平方向の軸線を有する取付穴３４ａ（図２３参照）及び３６ａ（図２２参照）が、それぞれ複数個形成されている。そして、補助横フレーム３４及び補助縦フレーム３６の各々における、取付穴３４ａ及び３６ａが形成された該複数の箇所には、それぞれ、補助横フレーム３４及び補助縦フレーム３６の各々の上面と協働して上方に開放された、実質的にＵ形状をなすスラブ型枠取付溝８６が配設されている。図２０に示されているように、図示の実施形態において、スラブ型枠取付溝８６は、補助横フレーム３４において１０箇所、補助縦フレーム３６において４箇所に配設されている。
【００４７】
図２３及び図２４をも参照して、支持枠８の該上面が水平に位置付けられた状態で、支持枠８におけるスラブ型枠取付溝８６の各々は、対応する補助横フレーム３４及び補助縦フレーム３６を水平方向に挟んで相互に水平方向に対向しかつ、対応する補助横フレーム３４及び補助縦フレーム３６の該上面から鉛直上方に延び出す一対の取付板８８であって、それぞれ、鉛直方向に長い長方形の平板本体８８ａと、平板本体８８ａの上端から相互に離隔する方向に平板本体８８ａに対し直角に延びる上端フランジ８８ｂとからなる一対の取付板８８と、対応する補助横フレーム３４及び補助縦フレーム３６の該上面とにより形成される。取付板８８の各対において、平板本体８８ａの各々には鉛直に延在する長穴８８ｃが形成されている。取付板８８の各対は、対応する補助横フレーム３４及び補助縦フレーム３６の該上面から鉛直上方に延び出す高さが実質的に同じとなるよう、長穴８８ｃの各々が、対応する補助横フレーム３４及び補助縦フレーム３６に形成された取付穴３４ａ及び３６ａにそれぞれ整合されてボルト＆ナット８９により、対応する補助横フレーム３４及び補助縦フレーム３６に分離自在に締結される。
【００４８】
図１９〜図２２を参照して、スラブ型枠８４は、支持枠ユニット８２の支持枠８における一対の側フレーム３０、一対の端フレーム３２、補助横フレーム３４及び補助縦フレーム３６の各々に対応して配列されかつ、実質的に同一平面上に位置付けられた上面と該上面に平行な、実質的に同一平面上に位置付けられた下面とを有する、一対の型枠側フレーム９０、一対の型枠端フレーム９２、型枠補助横フレーム９４及び型枠補助縦フレーム９６を備えた型枠支持フレーム９８と、該上面により規定される型枠支持フレーム９８の上面に載置・連結される１個の型枠平板６とを備えている。型枠支持フレーム９８の下面は、一対の型枠側フレーム９０、一対の型枠端フレーム９２、型枠補助横フレーム９４及び型枠補助縦フレーム９６の各々の該下面により規定される。型枠側フレーム９０、型枠端フレーム９２、型枠補助横フレーム９４及び型枠補助縦フレーム９６の各々は、それぞれ、横断面が矩形の木材から形成されているが、角パイプから形成する実施形態もある。スラブ型枠８４の平面形状は、支持枠ユニット８２の支持枠８の平面形状に実質的に整合するよう形成されている。型枠補助横フレーム９４及び型枠補助縦フレーム９６の各々には、支持枠８の取付板８８の各対に形成された長穴８８ｃの各々に対応して、それぞれ取付穴９４ａ及び９６ａが形成されている。
【００４９】
支持枠ユニット８２の上記スラブ型枠取付溝８６の各々を構成する取付板８８の各対の該高さは、型枠支持フレーム９８の該下面から型枠支持フレーム９８の該上面までの高さと実質的に同じに設定されている。
【００５０】
図１９、図２２、図２３及び図２４を参照して、支持枠８の該上面が水平に位置付けられた状態で、型枠支持フレーム９８を、支持枠８の該上面に載置して、型枠支持フレーム９８における型枠補助横フレーム９４及び型枠補助縦フレーム９６の各々を、支持枠８のスラブ型枠取付溝８６に分離自在に嵌合させることにより、スラブ型枠８４は、支持枠８の該上面に分離自在にかつ該水平縦方向及び該水平横方向への移動が規制されて保持される。この状態で、スラブ型枠ユニット８０が構成されるが、図２５及び図２６に示されているように、型枠補助横フレーム９４及び型枠補助縦フレーム９６の各々を、スラブ型枠取付溝８６の各々を構成する取付板８８の各対の長穴８８ｃにそれぞれ整合された取付穴９４ａ及び９６ａを利用して、それぞれ、ボルト＆ナット９９により取付板８８の各対に締結してもよい。
【００５１】
図１９を参照して、支柱１０の長さを調整しうる長さ調整手段１００は、支柱１０の下端部に嵌合されて連結手段により複数の長手方向位置を選択して相互に分離自在に連結される補助支柱１０２と、補助支柱１０２の下端部に配設された長さ調整手段１１とを備えている。長さ調整手段１１は、先に述べたとおりの構成を有しているので、実質的に同一部分には同一符号を付し、説明は省略する。支柱１０の下端部には複数の連結穴１０ａが形成され、補助支柱１０２の長手方向中央から上の領域には、連結穴１０ａに対応して複数の連結穴１０２ａが形成されている。補助支柱１０２は、支柱１０の下端部に嵌合され、相互に整合された一対の連結穴１０ａ及び１０２ａに図示しない連結ピンが挿入されることにより、支柱１０の下端部にほぼワンタッチで分離自在に連結される。補助支柱１０２と支柱１０との連結は、先に述べた連結手段である、連結ピン６７及び抜け止めピン６８（図１１参照）を利用することでよい。支柱１０の下端部に対する補助支柱１０２の連結位置を変えること及びジャッキ部材１１Ａの、支柱１０の下端からの突出量を代えることによって、支柱１０の長さを比較的大きく及び小さく調整することができる。
【００５２】
支柱１０の各々の長さ調整手段１００は、相互に実質的に同じ構成を有している。支柱１４の各々の長さ調整手段１０４は、支柱１０の下端部に嵌合されて連結手段により複数の長手方向位置を選択して相互に分離自在に連結される補助支柱１０６と、補助支柱１０６の下端部に配設された長さ調整手段１５とを備えている。長さ調整手段１５は、先に述べたとおりの構成を有しているので、実質的に同一部分には同一符号を付し、説明は省略する。長さ調整手段１０４は、上記長さ調整手段１００と実質的に同じ構成を有しているので、長さ調整手段１００に対応する部分には対応する符号を付し、説明は省略する。スラブ型枠ユニット８０の支持枠ユニット８２における長さ調整手段は、スラブ型枠ユニット２の支持枠ユニット４に使用されている長さ調整手段１１及び１５のみを使用してもよい。同様に、スラブ型枠ユニット２の支持枠ユニット４における長さ調整手段は、スラブ型枠ユニット８０の支持枠ユニット８２に使用されている長さ調整手段１００及び１０４を使用してもよい。
【００５３】
上記スラブ型枠ユニット８０は、先に述べたスラブ型枠ユニット２における支持枠ユニット４に、取付板８８の対を複数対装着することにより、複数のスラブ型枠取付溝８６を形成して支持枠ユニット８２を形成し、スラブ型枠８４を上方から落とし込むことにより構成されるので、幾つかの材料からなるスラブ型枠８４を用意しておけば、それらを適宜に選定して装着することが容易に可能になる。スラブ型枠ユニット８０は、先に述べたスラブ型枠ユニット２と実質的に同じ構成を含んでいるので、スラブ型枠ユニット２と実質的に同じ作用効果を達成することができる。
【００５４】
図２７には、本発明によるスラブ型枠ユニットの更に他の実施形態が示されている。図示のスラブ型枠ユニット１２０は、上記スラブ型枠ユニット８０の支持枠ユニット８２と、スラブ型枠１２２とを備えている。スラブ型枠１２２は、支持枠ユニット８２の支持枠８における補助横フレーム３４及び補助縦フレーム３６の各々に対応して配列されかつ、実質的に同一平面上に位置付けられた上面と該上面に平行な、実質的に同一平面上に位置付けられた下面とを有する、型枠補助横フレーム１２４及び型枠補助縦フレーム１２６を備えた型枠支持フレーム１２８と、該上面により規定される型枠支持フレーム１２８の上面に載置・連結される少なくとも１個の型枠平板６とを備えている。スラブ型枠１２２は、スラブ型枠８４におけると実質的に同じとおりにして、支持枠ユニット８２の支持枠８の上面に分離自在に装着される。このスラブ型枠ユニット１２０は、不定形なスラブに対応して適用することができる。
【００５５】
図３０及び図３１には、４個のスラブ型枠ユニット２Ａ、２Ｂ、２Ｃ及び２Ｄの各々間に形成された隙間に、２個の中間スラブ型枠１３０及び１個の中間スラブ型枠１３２を分離自在に介在させることにより、スラブ型枠面を形成する実施形態が示されている。図示の実施形態において、スラブ型枠ユニット２Ａと２Ｃの支持枠８間、及びスラブ型枠ユニット２Ｂと２Ｄの支持枠８間には、それぞれ、中間スラブ型枠１３０が分離自在に介在されている。また、スラブ型枠ユニット２Ａの支持枠８と中間スラブ型枠１３０とスラブ型枠ユニット２Ｃの支持枠８の組立体と、スラブ型枠ユニット２Ｂの支持枠８と中間スラブ型枠１３２とスラブ型枠ユニット２Ｄの支持枠８の組立体との間には、中間スラブ型枠１３２が分離自在に介在されている。中間スラブ型枠１３０の各々及び１３２の基本的な構成及び介在手段は、実質的に同じであるので、以下、中間スラブ型枠１３２及びその介在手段について説明する。
【００５６】
中間スラブ型枠１３２は、図３０及び図３４から容易に理解されるように、相互に平行に延在する一対の側フレーム１３４と、側フレーム１３４の長手方向両端間に間隔をおいて側フレーム１３４の各々間を延在しかつ両端が側フレーム１３４の各々に固着された複数の横フレーム１３６と、側フレーム１３４及び横フレーム１３６の各々の上端を覆うよう固着された型枠平板１３８とから構成されている。側フレーム１３４及び横フレーム１３６の各々は横断面が矩形状の角材、実施形態においては木製の角材からなる。中間スラブ型枠１３２は、細長い矩形平面形状を有している。側フレーム１３４及び横フレーム１３６の下面は、型枠平板１３８と平行な、実質的に同一平面上に位置付けられている。
【００５７】
スラブ型枠ユニット２Ｃ及び２Ｄの支持枠８において、相互に対向する端フレーム３２の対向面、及び、スラブ型枠ユニット２Ａ及び２Ｂの支持枠８において、相互に対向する端フレーム３２の対向面には、端フレーム３２の各々に形成された連結穴３２ａ（図１参照）を利用して、先に述べた取付板８８（図２３及び図２４参照）が、上端フランジ８８ｂを上にして、それぞれボルト＆ナット１４０により分離自在に締結されている。図３２及び図３３には、スラブ型枠ユニット２Ｃ及び２Ｄの支持枠８において、相互に対向する端フレーム３２の対向面にそれぞれ取り付けられた取付板８８が図示されている。支持枠８の各々における型枠平板６の上面から、取付板８８の各々の上端フランジ８８ｂの上面までの距離は、中間スラブ型枠１３２の高さ（厚さ）に対応するよう、長穴８８ｃを利用して容易に調整可能である。取付板８８の上端フランジ８８ｂの上面は、実質的に同一平面上に位置付けられる。
【００５８】
上記中間スラブ型枠１３２は、スラブ型枠ユニット２Ｃ及び２Ｄの支持枠８において、相互に対向する端フレーム３２間の隙間、及び、スラブ型枠ユニット２Ａ及び２Ｂの支持枠８において、相互に対向する端フレーム３２間の隙間に上方から嵌合される。中間スラブ型枠１３２は、側フレーム１３４の各々の下面が、取付板８８の各々における上端フランジ８８ｂの上面に載置されることにより、該隙間を実質的に閉塞するように保持される。上記中間スラブ型枠１３０の各々も、実質的に同様にして、スラブ型枠ユニット２Ａ及び２Ｃの支持枠８において、相互に対向する側フレーム３２間の隙間、及び、スラブ型枠ユニット２Ｂ及び２Ｄの支持枠８において、相互に対向する側フレーム３２間の隙間に上方から嵌合される。中間スラブ型枠１３０の各々は、側フレーム１３４の各々の下面が、該側フレーム３０の各々の対向面に取り付けられた取付板８８の各々の上端フランジ８８ｂの上面に載置されることにより、該隙間を実質的に閉塞するように保持される。スラブ型枠ユニット２Ａ〜２Ｄの各々の型枠平板６及び中間スラブ型枠１３０及び１３２の各々の型枠平板１３８は、実質的に同一水平面上に位置付けられてスラブ型枠面が形成される。
【００５９】
図３５及び図３６には、図３２及び図３３に対応して、２個のスラブ型枠ユニット８０Ｃ及び８０Ｄにおけるスラブ型枠８４の各々間に形成された隙間に、１個の中間スラブ型枠１３２を分離自在に介在させることにより、スラブ型枠面を形成する実施形態が示されている。この実施形態において、取付板８８の各々は、各々の上端フランジ８８ｂの上面が、支持枠８の上面と実質的に同一水平面上に位置付けられるよう、支持枠８の各々における端フレーム３２にそれぞれ２個のボルト＆ナット１４０により締結されている。その他の構成は、図３２及び図３３に示す構成と実質的に同じである。
【００６０】
このように、本発明によるスラブ型枠ユニット２及び８０を利用することにより、スラブ型枠ユニット２の各々間及びスラブ型枠ユニット８０の各々間に生じた隙間を容易に閉塞して、連続したスラブ型枠面を容易に形成することができる。（支持枠ユニット４及び８２）
【図面の簡単な説明】
【００６１】
【図１】本発明によるスラブ型枠ユニットの実施形態を示す斜視図であって、一部を分解して示す斜視図である。
【図２】図１に示すスラブ型枠ユニットを、分解しないで示す正面図である。
【図３】図２に示すスラブ型枠ユニットを、図２において左方から見た側面図である。
【図４】図２に示すスラブ型枠ユニットを、型枠平板の一部を除去して示す平面図である。
【図５】図２に示すスラブ型枠ユニットの平面図である。
【図６】図２のＡ部拡大図である。
【図７】図６のＢ矢視図である。
【図８】図６の平面図である。
【図９】図２のC部拡大図である。
【図１０】図９のＤ矢視図である。
【図１１】図２において左側におけるブレースの取り付け部の構成を、分解しかつ拡大して示す図である。
【図１２】図１１のＥ矢視図であって、支柱とブレース支持フレームのみを示すＥ矢視図である。
【図１３】図１１のＦ矢視図であって、側フレームとブレース連結フレームのみを示すＦ矢視図である。
【図１４】図２に示すスラブ型枠ユニットの支持枠ユニットにおいて、ジャッキ部材を取り外した状態を示す正面図である。
【図１５】図１４に示す支持枠ユニットにおいて、支柱ユニット及びブレースを折り畳む作用の状態を示す図である。
【図１６】図１４に示す支持枠ユニットにおいて、支柱ユニットが支持位置に位置付けられた状態と、支柱ユニット及びブレースを折り畳んだ状態とを示す図である。
【図１７】図１４に示す支持枠ユニットにおいて、支柱ユニット及びブレースを折り畳んだ状態を示す図である。
【図１８】図１に示すスラブ型枠ユニットにキャスタを装着した状態を示す斜視図であって、一部を断面にして示す斜視図である。
【図１９】本発明によるスラブ型枠ユニットの他の実施形態を示す斜視図であって、一部を分解して示す斜視図である。
【図２０】図１９に示すスラブ型枠ユニットにおける支持枠ユニットの平面図である。
【図２１】図１９に示すスラブ型枠ユニットの平面図であって、型枠平板の一部及び取付板を除去して示す平面図である。
【図２２】図１９に示すスラブ型枠ユニットの上端部を分解しかつ一部を断面にして示す正面図である。
【図２３】図２２に示すスラブ型枠ユニットの一部を拡大して示す分解図である。
【図２４】図２３のＧ矢視図である。
【図２５】図２３に示す構成部材の組付け図である。
【図２６】図２５のＨ−Ｈ矢視断面図である。
【図２７】本発明によるスラブ型枠ユニットの更に他の実施形態を示す斜視図であって、一部を分解して示す斜視図である。
【図２８】図２に示すスラブ型枠ユニットを４個並列して連結した状態を正面から見た図である。
【図２９】図２８に示すスラブ型枠ユニットの連結状態を示す平面図であって、型枠平板の一部を除去して示す平面図である。
【図３０】図２に示すスラブ型枠ユニットを、それぞれ、中間スラブ型枠を介して４個並列して連結した状態を示す平面図であって、型枠平板の一部を除去して示す平面図である。
【図３１】図３０の正面図であって、中間スラブ型枠の一部を分解して示す正面図である。
【図３２】図３１の一部を拡大して示す図である。
【図３３】図３２のＪ矢視図である。
【図３４】図３２に示す中間スラブ型枠の斜視図である。
【図３５】図１９に示すスラブ型枠ユニットの対と、中間スラブ型枠との連結構成を説明するための断面図であって、図３２に対応する図である。
【図３６】図３５のＫ矢視図である。
【符号の説明】
【００６２】
２、８０：スラブ型枠ユニット
４、８２：支持枠ユニット
６：型枠平板
８：支持枠
１０、１４：支柱
１１、１５：長さ調整手段
１１ａ、１５ａ：ジャッキ部材
１２、１６：支柱ユニット
２０、２２：ブレース
８４：スラブ型枠
９８：型枠支持フレーム
【図１】
2006183313.tif 000003
【図２】
2006183313.tif 000004
【図３】
2006183313.tif 000005
【図４】
2006183313.tif 000006
【図５】
2006183313.tif 000007
【図６】
2006183313.tif 000008
【図７】
2006183313.tif 000009
【図８】
2006183313.tif 000010
【図９】
2006183313.tif 000011
【図１０】
2006183313.tif 000012
【図１１】
2006183313.tif 000013
【図１２】
2006183313.tif 000014
【図１３】
2006183313.tif 000015
【図１４】
2006183313.tif 000016
【図１５】
2006183313.tif 000017
【図１６】
2006183313.tif 000018
【図１７】
2006183313.tif 000019
【図１８】
2006183313.tif 000020
【図１９】
2006183313.tif 000021
【図２０】
2006183313.tif 000022
【図２１】
2006183313.tif 000023
【図２２】
2006183313.tif 000024
【図２３】
2006183313.tif 000025
【図２４】
2006183313.tif 000026
【図２５】
2006183313.tif 000027
【図２６】
2006183313.tif 000028
【図２７】
2006183313.tif 000029
【図２８】
2006183313.tif 000030
【図２９】
2006183313.tif 000031
【図３０】
2006183313.tif 000032
【図３１】
2006183313.tif 000033
【図３２】
2006183313.tif 000034
【図３３】
2006183313.tif 000035
【図３４】
2006183313.tif 000036
【図３５】
2006183313.tif 000037
【図３６】
2006183313.tif 000038
【手続補正書】
【提出日】平成17年8月29日(2005.8.29)
【手続補正１】
【補正対象書類名】図面
【補正対象項目名】全図
【補正方法】変更
【補正の内容】
【図１】
2006183313.tif 000039
【図２】
2006183313.tif 000040
【図３】
2006183313.tif 000041
【図４】
2006183313.tif 000042
【図５】
2006183313.tif 000043
【図６】
2006183313.tif 000044
【図７】
2006183313.tif 000045
【図８】
2006183313.tif 000046
【図９】
2006183313.tif 000047
【図１０】
2006183313.tif 000048
【図１１】
2006183313.tif 000049
【図１２】
2006183313.tif 000050
【図１３】
2006183313.tif 000051
【図１４】
2006183313.tif 000052
【図１５】
2006183313.tif 000053
【図１６】
2006183313.tif 000054
【図１７】
2006183313.tif 000055
【図１８】
2006183313.tif 000056
【図１９】
2006183313.tif 000057
【図２０】
2006183313.tif 000058
【図２１】
2006183313.tif 000059
【図２２】
2006183313.tif 000060
【図２３】
2006183313.tif 000061
【図２４】
2006183313.tif 000062
【図２５】
2006183313.tif 000063
【図２６】
2006183313.tif 000064
【図２７】
2006183313.tif 000065
【図２８】
2006183313.tif 000066
【図２９】
2006183313.tif 000067
【図３０】
2006183313.tif 000068
【図３１】
2006183313.tif 000069
【図３２】
2006183313.tif 000070
【図３３】
2006183313.tif 000071
【図３４】
2006183313.tif 000072
【図３５】
2006183313.tif 000073
【図３６】
2006183313.tif 000074
【手続補正書】
【提出日】平成17年12月5日(2005.12.5)
【手続補正１】
【補正対象書類名】明細書
【補正対象項目名】００３２
【補正方法】変更
【補正の内容】
【００３２】
図１、図２及び図１４に示されているように、支柱ユニット１２及び１６におけるブレース２０及び２２の各々の他端部と、ブレース連結フレーム６２の各々とがそれぞれ連結されてブレース２０及び２２の各々が作用位置に位置付けられると、支柱ユニット１２及び１６はそれぞれ支持位置に位置付けられる。スラブ型枠ユニット２は、ジャッキ部材１１Ａ及び１５Ａの各々の基板１１ａ及び１５ａを介して載置面に載置される。支柱１０及び１４の各々の下端部にそれぞれねじ結合されたジャッキ部材１１Ａ及び１５Ａを回転させることにより、載置面から型枠平板６の上面までの高さが所定の高さに調整されると共に、該上面が水平に調整される。スラブ型枠ユニット２を正面から見て、支柱１０の各々及び支柱１４の各々と支持枠８間を斜めに連結するブレース２０及び２２の各々は、支持枠８をしっかりと支持し、支持枠ユニット４及びスラブ型枠ユニット２の強度を確保し、安定した荷重の支持に寄与する。
【手続補正２】
【補正対象書類名】明細書
【補正対象項目名】００４４
【補正方法】変更
【補正の内容】
【００４４】
図１５〜図１７において、支柱１０及び１４の各々の下端部にそれぞれねじ結合されたジャッキ部材１１Ａ及び１５Ａの図示は省略されているが、上記した支柱ユニット１２及び１６の各々の折畳動作は、ジャッキ部材１１Ａ及び１５Ａが支柱１０及び１４の下端部に装着された状態で行われる。支柱ユニット１２及び１６の各々を折り畳むに際しては、ジャッキ部材１１Ａ及び１５Ａの各々を、支柱１０及び１４の各々の下端に対し、ほぼ最大限ねじ込んで、支柱１０及び１４の各々の下端からの突出量をほぼ最少にしておけばよい。その結果、支柱１０及び１４の各々の全長が実質的にほぼ最少となるので、支柱ユニット１２及び１６の各々を折り畳んだときに、ジャッキ部材１１Ａ及び１５Ａの各々の基板１１ａ及び１５ａの各々が、支柱支持フレーム４０及び５０の各々に、それぞれ干渉することが防止される。
【手続補正３】
【補正対象書類名】明細書
【補正対象項目名】００５８
【補正方法】変更
【補正の内容】
【００５８】
上記中間スラブ型枠１３２は、スラブ型枠ユニット２Ｃ及び２Ｄの支持枠８において、相互に対向する端フレーム３２間の隙間、及び、スラブ型枠ユニット２Ａ及び２Ｂの支持枠８において、相互に対向する端フレーム３２間の隙間に上方から嵌合される。中間スラブ型枠１３２は、側フレーム１３４の各々の下面が、取付板８８の各々における上端フランジ８８ｂの上面に載置されることにより、該隙間を実質的に閉塞するように保持される。上記中間スラブ型枠１３０の各々も、実質的に同様にして、スラブ型枠ユニット２Ａ及び２Ｃの支持枠８において、相互に対向する側フレーム３０間の隙間、及び、スラブ型枠ユニット２Ｂ及び２Ｄの支持枠８において、相互に対向する側フレーム３０間の隙間に上方から嵌合される。中間スラブ型枠１３０の各々は、側フレーム１３４の各々の下面が、該側フレーム３０の各々の対向面に取り付けられた取付板８８の各々の上端フランジ８８ｂの上面に載置されることにより、該隙間を実質的に閉塞するように保持される。スラブ型枠ユニット２Ａ〜２Ｄの各々の型枠平板６及び中間スラブ型枠１３０及び１３２の各々の型枠平板１３８は、実質的に同一水平面上に位置付けられてスラブ型枠面が形成される。